(57)【要約】      （修正有）【課題】髪を束ねてカラーリングする際に使用することにより、上手なカラーリングを可能とする。【解決手段】櫛歯状爪２ａ、３ａが長さ方向Ｌに間隔を有して複数形成されると共に開閉回動可能となっており、髪束を挟むための閉方向回動によって櫛歯状爪２ａ、３ａが交互に咬み合って筒状となる一対のクリップ２、３と、一対のクリップ２、３が閉方向に回動するように付勢するコイルばね６と、コイルばね６の付勢力に抗して一対のクリップ２、３を開方向に回動するため、櫛歯状爪２ａ、３ａとの反対方向に延びるように一対のクリップ２、３のそれぞれに一体的に形成されたレバー４、５と、少なくとも一方のクリップ２、３の長さ方向Ｌに対して交差方向に張り出して連設され、一対のクリップ２、３によって髪を挟むときに頭の表面に沿って配置される支持板７、８とを備える。【選択図】図２
0003103001.tif 000002
【実用新案登録請求の範囲】
【請求項１】
櫛歯状爪が長さ方向に間隔を有して複数形成されると共に開閉回動可能となっており、束ねられた髪を挟むための閉方向回動によって櫛歯状爪が交互に咬み合って筒状となる一対のクリップと、
一対のクリップが閉方向に回動するように付勢するコイルばねと、
コイルばねの付勢力に抗して一対のクリップを開方向に回動するため、櫛歯状爪との反対方向に延びるように一対のクリップのそれぞれに一体的に形成されたレバーと、
少なくとも一方のクリップの端部から、クリップの長さ方向に対し交差方向に張り出して連設され、頭の表面から髪束を挟む一対のクリップを起立支持する支持板とを備えていることを特徴とする髪止め具。
【請求項２】
支持板は、クリップの長さ方向と直交する面に傾斜して張り出していることを特徴とする請求項１記載の髪止め具。
【請求項３】
一対のクリップの対向面に、複数のピンが突設していることを特徴とする請求項１または２記載の髪止め具。
【考案の詳細な説明】
【技術分野】
【０００１】
本考案は、髪止め具に関し、特に、髪をカラーリングする際に使用する髪止め具に関する。
【背景技術】
【０００２】
従来、頭髪の全体を所定の色に染めるカラーリングでは、図６に示すように、頭部の複数箇所で髪を束ね、それぞれの髪束１０１をピン１０２や輪ゴムでとめるいわゆるブロッキング作業を行っている。カラーリングの際には、頭部下方の髪からカラーリングを行い、上方に向かって順次カラーリングを行う髪束１０１のピン１０２や輪ゴムを解いて、解いた髪束毎にカラーリングを行う（記載すべき先行技術情報はない）。
このブロッキング作業をカラーリング前に行うことにより、染めようとする髪にカラーリング前の髪が重なることがなく、染め残しや染めすぎ等のむらがなく、また、髪の生え際から容易にカラーリングを行うことができる。
【考案の開示】
【考案が解決しようとする課題】
【０００３】
しかしながら、他人の手を借りずに一人でピン１０２を用いて髪束１０１をとめるブロッキング作業を行う場合には、ピン１０２がはずれやすく一カ所の髪束１０１のピン１０２を外そうとして他のピン１０２もはずれてしまったり、カラーリングの際に、櫛などがその上方の髪束１０１にあたり、とめていたピン１０２がはずれてカラーリングする髪に重なり、確実なブロッキングができないという問題があった。
【０００４】
また輪ゴムを用いてブロッキングを行う場合にも、束ねた髪に輪ゴムを巻き付ける手間がかかり、一人でブロッキングやカラーリング作業を行う場合には、長時間を要するとともに、長時間手を上げたまま作業をする必要があり極めて困難なものであった。
【０００５】
本考案は、このような問題点を考慮してなされたものであり、一人で簡単にかつ確実に髪束をまとめるブロッキングを行い、むらなくカラーリングを行うことができる髪止め具を提供することを目的とする。
【課題を解決するための手段】
【０００６】
請求項１の考案の髪止め具は、櫛歯状爪が長さ方向に間隔を有して複数形成されると共に開閉回動可能となっており、束ねられた髪を挟むための閉方向回動によって櫛歯状爪が交互に咬み合って筒状となる一対のクリップと、  一対のクリップが閉方向に回動するように付勢するコイルばねと、コイルばねの付勢力に抗して一対のクリップを開方向に回動するため、櫛歯状爪との反対方向に延びるように一対のクリップのそれぞれに一体的に形成されたレバーと、少なくとも一方のクリップの端部から、クリップの長さ方向に対し交差方向に張り出して連設され、頭の表面から髪束を挟む一対のクリップを起立支持する支持板とを備えていることを特徴とする。
【０００７】
請求項１の考案では、レバーによって一対のクリップを開方向に回動させ、クリップの間に束ねた髪を引き込み、レバーへの操作を解除する。これにより、コイルばねの付勢力によって一対のクリップが閉方向に回動し、櫛歯状爪が交互に咬み込んで筒状となるため、束ねた髪束毎に挟むことができる。
【０００８】
支持板は、クリップの端部から外側方向に延びた状態で頭の表面に沿って配置される。これにより、支持板は一対のクリップを頭の表面から起立支持し、クリップで挟んだ髪束を頭の表面から起立するように支持する。従って、カラーリングを行う前の髪束をクリップで挟むことにより、カラーリングを行う、若しくはすでにカラーリングを行った髪と重ならず、分離させることができる。
【０００９】
請求項２の考案は、請求項１記載の髪止め具であって、支持板は、クリップの長さ方向と直交する面に傾斜して張り出していることを特徴とすることを特徴とする。
【００１０】
請求項２の考案では、側頭部の髪束をクリップが挟む際には、クリップの長さ方向と直交する面に対して傾斜する支持板を側頭部と平行に配置することにより、起立支持するクリップの長手方向を、水平よりやや上方に向けた方向とし、髪束を上方に向けて支持することができる。これにより、側頭部の髪束を支持する場合であっても、垂れ下がってその下方の髪に重なることがなく、分離させてのカラーリング作業が可能となる。
【００１１】
請求項３の考案は、請求項１または２記載の髪止め具であって、一対のクリップの対向面に、複数のピンが突設していることを特徴とする。
【００１２】
請求項３の考案では、クリップの対向面に突設したピンが髪に食い込んでアンカーとなる。このため、髪止め具の固定力が大きくなり、クリップ間から髪束が抜け出にくくなる。
【考案の効果】
【００１３】
本考案の髪止め具によれば、レバーを掴み、開いたクリップ間に髪束を挿入するだけで、髪束を頭の表面から起立させて支持できるので、一人で簡単にブロッキング作業を行うことができる。
【００１４】
また、支持板が頭の表面に沿って支持されることにより、一対のクリップが頭の表面から起立支持され、倒れたり傾斜することがないので、クリップで束ねた髪束も、髪束毎に独立して頭の表面から立ち上がった状態で支持することができ、カラーリングを行う髪と他の髪が重ならず、カラーリングを上手に且つ円滑に行うことが可能となる。
【考案を実施するための最良の形態】
【００１５】
図１乃至図５は、本考案の一実施の形態における髪止め具１を示し、図１及び図２は斜視図、図３は正面図、図４はクリップを開いた状態の斜視図、図５は使用状態の斜視図である。
【００１６】
この実施の形態の髪止め具１は、一対のクリップ２、３と、レバー４、５と、コイルばね６と、支持板７、８とを備えており、コイルばね６を除く全体が合成樹脂によって形成されている。
【００１７】
一対のクリップ２、３は、開閉回動可能に組み付けられるものである。一対のクリップ２、３の回動は、後述するコイルばね６を取り付けるための取付ピン９（図２参照）をヒンジ軸として行われる。
【００１８】
一対のクリップ２、３には、それぞれ櫛歯状爪２ａ、３ａが複数形成されている。櫛歯状爪２ａ、３ａは、一対のクリップ２、３の長さ方向Ｌ（図３参照）に沿って所定間隔を有して形成されるものであり、対向しているクリップ２、３の間で交互に咬み合うようになっている。すなわち、クリップ２の櫛歯状爪２ａはクリップ３の櫛歯状爪３ａの間に位置し、クリップ３の櫛歯状爪３ａはクリップ２の櫛歯状爪２ａの間に位置するように形成されるものである。
【００１９】
櫛歯状爪２ａ、３ａは、外側に湾曲した半リング状となっており、これにより一対のクリップ２、３が閉じて櫛歯状爪２ａ、３ａが咬み合った状態では、一対のクリップ２、３が円筒状となって束ねた髪を挟むようになっている。
【００２０】
また、一対のクリップ２、３の対向面には、ピン１０が突設されている。この実施形態において、ピン１０は、それぞれの櫛歯状爪２ａ、３ａの根元部分から突設されており、一対のクリップ２、３に挟まれた髪の間に食い込むようになっている。この食い込みにより、ピン１０はアンカーの様に作用し髪が更にクリップ２、３の間から抜け出にくくなる。なお、ピン１０はクリップ２、３の対向面に形成されるものであれば、その位置や数は特に限定するものではない。
【００２１】
レバー４、５は対向した状態となるように一対のクリップ２、３に形成されるものであり、レバー４は、クリップ２に一体的に形成され、レバー５はクリップ３に一体的に形成されている。これらのレバー４、５は、クリップ２、３における対応した櫛歯状爪２ａ、３ａとの反対方向に延びており、レバー４、５を指で挟んで押圧操作することにより、一対のクリップ２、３を開方向に回動させることができる。この開方向の回動は、後述するコイルばね６の付勢力に抗して行われるものである。
【００２２】
レバー４、５の対向面には、相互に重なり合うブラケット部４ａ、５ａが突出するように形成されており、ブラケット部４ａ、５ａの重ね合い状態に対し、取付ピン９を掛け渡すように挿入することにより、一対のクリップ２、３が開閉回動可能に組み付けられる。
【００２３】
コイルばね６は、そのコイル部に取付ピン９が貫通することにより、レバー４、５の間に配置される。コイルばね６の両端部は、コイル部から外側に延びており、それぞれの端部がレバー４、５の対向面に当接している。これにより、コイルばね６は、一対のクリップ２、３が閉方向に回動するように付勢している。
【００２４】
支持板７、８は、それぞれのクリップ２、３に対応するように設けられるものであり、支持板７がクリップ２に一対的に形成され、支持板８がクリップ３に一体的に形成されている。これらの支持板７、８は、クリップ２、３における長さ方向Ｌの一側の基端部に位置するように設けられるものであり、平面から見て略四角板形状に形成され、クリップ２、３の基端部に、それぞれ外側方向（クリップ２、３の長手方向に対して交差する方向）へ張り出すように一体に連設されている。
【００２５】
支持板７、８は、束ねた髪を一対のクリップ２、３によって挟むときに、頭の表面に沿って配置されるものであり、これにより一対のクリップ２、３を頭の表面に対して起立支持するように作用する。本実施の形態においては、図３に示すように、支持板７、８は、クリップ２、３の長さ方向Ｌと直交する面に対してわずかに傾斜する面に沿って張り出して設けられている。
【００２６】
次に、この実施の形態の髪止め具１の使用方法を図５を参照して説明する。
【００２７】
始めに、頭部を、右前方部Ａ、左前方部Ｂ、右後方上部Ｃ、左後方上部Ｄ、右後方中間部Ｅ、左後方中間部Ｆの６カ所の部位に分け、例えば右前方部Ａの前髪からわずかにねじりながら束ねる。束ねた髪束２０Ａを一方の手でつかむとともに、他方の手でコイルばね６に抗してレバー４、５間を狭めて一対のクリップ２、３を開状態とし、開いたクリップ２、３の間に髪束２０Ａを引き込む。この引き込みに際しては、支持板７、８が髪束２０Ａの生え際に配置されるように、頭の表面に沿って髪止め具１を滑り込ませる。
【００２８】
その後、レバー４、５への押圧操作を解除することにより、コイルばね６の付勢力で一対のクリップ２、３が閉方向に回動し、それぞれの櫛歯状爪２ａ、３ａが咬み合い円筒状となり、束ねた髪束２０Ａがこれらの間に挟み込まれる。
【００２９】
かかる髪束２０Ａの挟み込み状態においては、支持板７、８が頭の表面に沿って配置されるため、一対のクリップ２、３が頭の表面から立ち上がった状態で支持され、クリップ２、３に挟まれた髪束２０Ａも他の髪に重なることなく、右耳の前方で起立支持される。
【００３０】
続いて左前方部Ｂ、右後方上部Ｃ、左後方上部Ｄ、右後方中間部Ｅ、左後方中間部Ｆの順に、同様の方法を繰り返して、残る５カ所の部位の髪を束ねた髪束２０Ｂ、２０Ｃ、２０Ｄ、２０Ｅ、２０Ｆを、それぞれ別の髪止め具１を用いて対応部位に起立させ、ブロッキング作業を終える。髪留め具１を用いて束ねる部位の順序は、前後いずれから始めてもよいが、それぞれ上方の部位から束ねて髪止め具１で起立させる方が、髪をもれなく束ね易い。
【００３１】
ブロッキング作業を終えた各髪束２０は、図５に示すように、それぞれ髪止め具１によって独立して頭部の表面から立ち上がる様に支持されるので、髪束２０間や束ねていない下方の髪との間でも互いに重なることがない。
【００３２】
髪留め具１を用いたブロッキング作業の後、髪留め具１により束ねられていない髪からカラーリング（髪染め）を行う。ここでは、右前方部Ａと左前方部Ｂで髪留め具１により支持されていない前髪からカラーリングを始め、続いてその上部の右前方部Ａの髪束２０Ａのカラーリングを行う。
【００３３】
髪留め具１により支持された髪束２０Ａのカラーリングは、髪束２０Ａを一方の手で掴み、他方の手でレバー４、５間を狭めて一対のクリップ２、３を開状態とし、開いたクリップ２、３の間から髪束２０Ａから除き、髪留め具１を外す。続いて、一方の手で髪束２０Ａを掴んだまま、髪留め具１を外した他方の手で髪束２０Ａの生え際からむらなくカラーリングを行う。
【００３４】
続いて、残る左前方部Ｂの髪束２０Ｂの髪留め具１を外し、同様の方法でカラーリングを行う。後方の髪は、始めに髪留め具１で起立支持されていない後方下部の髪をカラーリングし、その後、髪束２０Ｅ、２０Ｆ、２０Ｃ、２０Ｄの順に順次髪留め具１を外しながら、髪束２０Ａと同様の方法でカラーリングを行う。
【００３５】
尚、カラーリングする部位の順序は、頭の前後いずれから始めてもよいが、本実施の形態に示すように、それぞれ下方の部位から上方の部位の順に髪止め具１を外しながらカラーリングする方が、カラーリングする髪に上方の髪が重なることがなく、むらなくカラーリングを行うことができる。
【００３６】
このように髪止め具１が倒れることなく頭の表面から立ち上がって、束ねた各髪束２０が個々に独立した状態で頭の各部で起立支持されるので、カラーリングの際に各髪束２０が重なり邪魔となることがなく、カラーリングを上手にしかも円滑に行うことが可能となる。
【００３７】
更に、髪留め具１を外す際に、束ねた状態に保たれた髪束２０を手で持つことができるので、他方の手で生え際からむらなく、簡単にカラーリングを行うことかできる。
【００３８】
また、本実施の形態では、支持板７、８がクリップ２、３の長さ方向Ｌに対して直交する面からやや傾斜しており、側頭部の表面に沿って支持板７、８を配置する場合であっても、クリップ２、３で挟んだ側頭部の髪束２０を、側頭部の表面に直交する方向よりやや上方に向けて支持することができ、その下方の髪の上に垂れることがなく、側頭部の髪をより容易にカラーリングすることができる。
【００３９】
さらに、クリップ２、３で挟んだ髪束２０に、一対のクリップ２、３の対向面に形成したピンが食い込むので、クリップ２、３から挟んだ髪が抜け出にくく、髪束２０と髪止め具１が強固に固定されるので、髪留め具１の位置ずれがなくなる。
【００４０】
本考案は、以上の実施の形態に限定されることなく、種々変形が可能である。例えば、支持板７、８を各クリップ２、３に形成することなく、一方のクリップ２または３の端部にのみ形成する構造としてもよい。
【図面の簡単な説明】
【００４１】
【図１】本考案の一実施の形態における髪止め具１を前方から見た斜視図である。
【図２】髪止め具１を後方から見た斜視図である。
【図３】髪止め具１の正面図である。
【図４】クリップ２，３を開いた状態を示す斜視図である。
【図５】髪止め具１の使用状態を示す斜視図である。
【図６】髪束２０１をブロッキングする従来の方法を示す斜視図である。
【符号の説明】
【００４２】
１  髪止め具
２、３  クリップ
２ａ、３ａ  櫛歯状爪
４、５  レバー
６  コイルばね
７、８  支持板
１０  ピン
Ｌ  クリップの長さ方向
【図１】
0003103001.tif 000003
【図２】
0003103001.tif 000004
【図３】
0003103001.tif 000005
【図４】
0003103001.tif 000006
【図５】
0003103001.tif 000007
【図６】
0003103001.tif 000008